(57)【要約】      （修正有）【課題】本発明は、インクカートリッジ及びそれを備えたプリンターを提供する。【解決手段】インクカートリッジは、プリンターのインクカートに着脱可能に取り付けられる。インクカートリッジは、ケースと、ケースに設置されたハンドルと、を備える。ハンドルには前方係合突起が設置されており、前方係合突起は第二係合面を有し、ハンドルにおける前方係合突起の突出方向に沿って、第二係合面は斜め下向きに傾斜されて、第二係合面とインクカートとの間に位置決め関係を形成するようにする。本発明は、インクカートリッジのハンドルがインクカートの可動部材を押圧することを免れることができ、インクカートリッジの位置決めは信頼でき、インクカートの寿命に影響を与えない。【選択図】図１
2020082728.tif 000002
【特許請求の範囲】
【請求項１】
プリンターの装着部（１）に着脱可能に取り付けられるインクカートリッジであって、
ケース（２０）と、前記ケース（２０）に設置されたハンドル（２１）と、を備え、
前記ハンドル（２１）には前方係合突起（２２）が設置されており、前記前方係合突起（２２）は第二係合面（２２０）を有し、前記ハンドル（２１）における前記前方係合突起（２２）の突出方向に沿って、前記第二係合面（２２０）は斜め下向きに傾斜されて、前記第二係合面（２２０）と前記装着部（１）との間に位置決め関係を形成するようにする、
ことを特徴とするインクカートリッジ。
【請求項２】
前記インクカートリッジの幅方向に沿って、前記ハンドル（２１）には２つの前方係合突起（２２）が離間して設置されており、且つ前記前方係合突起（２２）の幅は１．５ｍｍ以下である、
ことを特徴とする請求項１に記載のインクカートリッジ。
【請求項３】
前記ハンドル（２１）は前記ケース（２０）に着脱可能に接続されている、
ことを特徴とする請求項１又は２に記載のインクカートリッジ。
【請求項４】
前記ハンドル（２１）は、弾性操作板（２１０）と、チップ取付板（２１１）と、インクカートリッジ取付板（２１２）と、を備え、
前記前方係合突起（２２）は前記弾性操作板（２１０）に設置され、前記チップ取付板（２１１）及び前記インクカートリッジ取付板（２１２）は別々に前記ケース（２０）の異なる側面に当接係合し、且つ前記ケース（２０）と前記ハンドル（２１）との間の垂直及び水平方向の動きをそれぞれ限定する、
ことを特徴とする請求項３に記載のインクカートリッジ。
【請求項５】
前記チップ取付板（２１１）における前記ケース（２０）に当接する表面は係合フック（２１１０）を有し、前記ケース（２０）の対応する位置には、前記係合フック（２１１０）を収容するためのフック穴（２００）が設けられており、
前記インクカートリッジ取付板（２１２）における前記ケース（２０）に当接する表面には吊り穴（２１２０）が形成されており、前記ケース（２０）の対応する位置には前記吊り穴（２１２０）に挿入することができる吊り突起（２０１）が設置されている、
ことを特徴とする請求項４に記載のインクカートリッジ。
【請求項６】
前記ケース（２０）及び前記インクカートリッジ取付板（２１２）の中の一方には、前記インクカートリッジの高さ方向に沿って延在される位置決めリブ（２１２１）が設置されており、他方には前記位置決めリブ（２１２１）を収容することができる位置決め溝（２０２）が形成されている、
ことを特徴とする請求項５に記載のインクカートリッジ。
【請求項７】
前記ハンドル（２１）を製造するための材料の硬度と靭性は、前記ケース（２０）を製造するための材料の硬度と靭性より高い、
ことを特徴とする請求項３に記載のインクカートリッジ。
【請求項８】
前記ハンドル（２１）は、ＰＣ、ＡＢＳ、ナイロン、又はこれらの成分を含む改質材料で作られる、
ことを特徴とする請求項７に記載のインクカートリッジ。
【請求項９】
前記ハンドル（２１）には案内部（２４）が設置されており、前記案内部（２４）は少なくとも１つの案内当接面（２４０）を有し、前記案内当接面（２４０）は前記装着部（１）の案内側面（３００）と協同して、前記インクカートリッジ（２）にその装着方向に沿った案内を提供するために用いられる、
ことを特徴とする請求項１〜８のいずれか一項に記載のインクカートリッジ。
【請求項１０】
請求項１〜９のいずれか一項に記載のインクカートリッジ及び装着部（１）を備えるプリンターであって、
前記装着部（１）は本体を備え、前記本体は回転ハンドル（３）を回転可能に取り付けるためのハンドルブラケット（１０）を有し、前記本体はチップ接触領域（１１）を有し、前記ハンドルブラケット（１０）の下端と前記チップ接触領域（１１）は上下離間して設置され、前記ハンドルブラケット（１０）の下端には斜めに設置された第一係合面（１００）が形成されており、前記前方係合突起（２２）が前記ハンドルブラケット（１０）の下端の下方へ伸び込んで、前記前方係合突起（２２）の第二係合面（２２０）と前記第一係合面（１００）との間に位置決め関係を形成するようにする、
ことを特徴とするプリンター。
【請求項１１】
前記装着部の本体における前記回転ハンドル（３）と対向する片側には係合孔（１２）が形成されており、前記インクカートリッジ（２）は前記係合孔（１２）に係合することができる後方係合突起（２３）を有し、前記前方係合突起（２２）と前記後方係合突起（２３）は同じレベルの高さに位置する、
ことを特徴とする請求項１０に記載のプリンター。
【請求項１２】
前記回転ハンドル（３）にはさらにガイドリブ（３０）が設置されており、前記ガイドリブ（３０）は案内側面（３００）を有し、前記案内側面（３００）とインクカートリッジ（２）の案内当接面（２４０）が協同して、前記インクカートリッジ（２）にその装着方向に沿った案内を提供する、
ことを特徴とする請求項１０に記載のプリンター。
【発明の詳細な説明】
【技術分野】
【０００１】
＜関連出願＞
本願は、中国での出願日が２０１８年１１月１６日で、出願番号が２０１８２１９０００６４．７で、考案の名称が「インクカートリッジ及びそれを備えたプリンター」である中国実用新案出願の優先権を主張し、且つ参照のためそれらの全文を本願に組み込む。
【０００２】
本発明は、インクカートリッジ構造の技術分野に関し、特に、インクカートリッジ及びそれを備えたプリンターに関する。
【背景技術】
【０００３】
インクジェットプリンターとレーザープリンターは、現在、市場で最も一般的に使用されている印刷道具である。レーザープリンターは、印刷速度が速く、消耗品であるトナーカートリッジが大容量であるので、主にオフィス及び白黒印刷市場で使用されている。インクジェットプリンターは、占める空間が小さく、消耗品であるカラーインクカートリッジのコストが低いので、主に家庭及びカラー印刷市場で使用されている。消耗品であるトナーカートリッジとインクカートリッジは両方とも市場需要が大きい。
【０００４】
技術の進歩と市場の需要に応じて、インクジェットプリンターメーカーは、新しいタイプのインクジェットプリンター及びこのタイプに対応されるインクカートリッジ製品を時々市場に導入する。インクカートリッジはインクジェットプリンターの装着部に取り付けられており、インクカートリッジを交換する場合、新しいインクカートリッジをインクジェットプリンターで正常に使用できるように、インクカートリッジを装着部（ｉｎｋ ｃａｒｔ）に確実に位置決めることを必要とするばかりではなく、チップを装着部のチップシンブルに確実に接触させる必要がある。中国公告番号がＣＮ１０６４７６４３９Ｂである中国発明と、中国公告番号がＣＮ２０５０４４３０９Ｕである中国実用新案との２つの特許に開示されたインクカートリッジ構造において、インクカートリッジのハンドルの係合部をプリンターの装着部のレバー穴に係合し、且つインクカートリッジのハンドルの押圧面とレバー本体との間に摩擦力が発生するようにして、レバーを回転させる。このような固定方法により、プリンターの装着部の可動部品は長時間押圧されて、プリンターの寿命に影響する。
【０００５】
要約すると、従来の技術におけるインクカートリッジの構造は、さらに改善される必要がある。
【発明の概要】
【発明が解決しようとする課題】
【０００６】
上記の内容を考えると、上記の問題を解決するために、インクカートリッジ及びそれを備えたプリンターを提供する必要がある。インクカートリッジはプリンターの装着部のハンドルブラケットに固定されているので、インクカートリッジのハンドルが装着部の可動部品を押圧することを避けることができ、インクカートリッジの位置決めは信頼でき、装着部の寿命に影響しない。
【０００７】
本発明は、プリンターの装着部に着脱可能に取り付けられるインクカートリッジを提供する。インクカートリッジは、ケースと、ケースに設置されたハンドルと、を備える。ハンドルには前方係合突起が設置されており、前方係合突起は第二係合面を有し、ハンドルにおける前方係合突起の突出方向に沿って、第二係合面は斜め下向きに傾斜されて、第二係合面と装着部との間に位置決め関係を形成するようにする。
【０００８】
１つの実施形態において、インクカートリッジの幅方向に沿って、ハンドルには２つの前方係合突起が離間して設置されており、且つ前方係合突起の幅は１．５ｍｍ以下である。
【０００９】
１つの実施形態において、ハンドルはケースに着脱可能に接続されている。
【００１０】
１つの実施形態において、ハンドルは、弾性操作板と、チップ取付板と、インクカートリッジ取付板と、を備え、前方係合突起は弾性操作板に設置され、チップ取付板及びインクカートリッジ取付板は別々にケースの異なる側面に当接係合し、且つケースとハンドルとの間の垂直及び水平方向の動きをそれぞれ限定する。
【００１１】
１つの実施形態において、チップ取付板におけるケースに当接する表面は係合フックを有し、ケースの対応する位置には、係合フックを収容するためのフック穴が設けられており、インクカートリッジ取付板におけるケースに当接する表面には吊り穴が形成されており、ケースの対応する位置には吊り穴に挿入することができる吊り突起が設置されている。
【００１２】
１つの実施形態において、ケース及びインクカートリッジ取付板の中の一方には、インクカートリッジの高さ方向に沿って延在される位置決めリブが設置されており、他方には位置決めリブを収容することができる位置決め溝が形成されている。
【００１３】
１つの実施形態において、ハンドルを製造するための材料の硬度と靭性は、ケースを製造するための材料の硬度と靭性より高い。
【００１４】
１つの実施形態において、ハンドルは、ＰＣ、ＡＢＳ、ナイロン、又はこれらの成分を含む改質材料で作られる。
【００１５】
１つの実施形態において、ハンドルには案内部が設置されており、案内部は案内当接面を有し、案内当接面は装着部の案内側面と協同して、インクカートリッジにその装着方向に沿った案内を提供するために用いられる。
【００１６】
本発明は、上述したインクカートリッジ及び装着部を備えるプリンターをさらに提供する。装着部は本体を備え、本体は回転ハンドルを回転可能に取り付けるためのハンドルブラケットを有し、本体はチップ接触領域を有し、ハンドルブラケットの下端とチップ接触領域は上下離間して設置され、ハンドルブラケットの下端には斜めに設置された第一係合面が形成されており、前方係合突起がハンドルブラケットの下端の下方へ伸び込んで、前方係合突起の第二係合面と第一係合面との間に位置決め関係を形成するようにする。
【００１７】
１つの実施形態において、装着部の本体における回転ハンドルと対向する片側には係合孔が形成されており、インクカートリッジは係合孔に係合することができる後方係合突起を有し、前方係合突起と後方係合突起は同じレベルの高さに位置する。
【００１８】
１つの実施形態において、回転ハンドルにはさらにガイドリブが設置されており、ガイドリブは案内側面を有し、案内側面とインクカートリッジの案内当接面が協同して、インクカートリッジにその装着方向に沿った案内を提供する。
【００１９】
従来の技術と比較して、本発明は以下の利点を有する。インクカートリッジが装着部に装着された状態では、ハンドルの前方係合突起がハンドルブラケットの下端の下方へ伸び込んで、２つの傾斜面（第一係合面と第二係合面）が当接するか又は接することにして、インクカートリッジのハンドルは装着部のハンドルブラケットに確実に接触して位置決めることができ、インクカートリッジの位置決めは信頼できる。さらに、ハンドルブラケットは固定部材であるので、前方係合突起の押圧は装着部の寿命に影響を与えない。さらに、ハンドルブラケットの下端はチップ接触領域に近く、即ちインクカートリッジと装着部の係合はチップ接触領域に近いので、インクカートリッジのチップは装着部にさらに確実に接触する。
【００２０】
以下、本発明の上述した利点及び他の利点をさらに詳しく説明する。
【図面の簡単な説明】
【００２１】
【図１】装着部の斜視図である。
【図２】ハンドルブラケットの斜視図である。
【図３】回転ハンドルの斜視図である。
【図４】第一視角のインクカートリッジの分解図である。
【図５】第二視角のインクカートリッジの分解図である。
【図６】インクカートリッジのハンドルの斜視図である。
【図７】インクカートリッジの側面図であり、前方係合突起と後方係合突起との間の好ましい相対的位置関係を示している。
【発明を実施するための形態】
【００２２】
反対の説明がない場合、本発明で使用される「上、下、左、右」及び「前、後」などの方向用語は、いずれも図面に示される方向を言う。インクカートリッジ及び装着部の各部品の相対的な位置関係を明確に説明するために、Ｘ、Ｙ、Ｚ軸の概念を引用し、インクカートリッジの３次元構造を参照すると、３つの軸の方向はそれぞれインクカートリッジの「長手方向」、「幅方向」、「高さ方向」を代表し、即ち使用方向によってインクカートリッジを装着部に取り付ける場合、インクカートリッジに沿って前方係合突起から後方係合突起への方向は「長手方向」又はＸ軸方向であり、装着部内の複数のインクカートリッジの配列方向は「幅方向」又はＹ軸方向であり、インクカートリッジの底面から頂面への方向は「高さ方向」又はＺ軸方向である。Ｘ、Ｙ、Ｚ軸は、互いに直交する３つの空間軸である。
【００２３】
図１〜図７に示されたように、本発明の好ましい実施形態に係るプリンターは、装着部１と、装着部１に着脱可能に取り付けられたインクカートリッジ２と、を備える。装着部１はプリンターの付属品であり、元のインクカートリッジ又は新しいインクカートリッジは装着部１に取り付けられ、且つ装着部１に安定的に確実に接触して位置決められる。
【００２４】
本発明に係わるハンドル式インクカートリッジが装着される装着部１は、ハンドルブラケット１０を有する本体を備える。ハンドルブラケット１０は、装着部１の回転ハンドル３を回転可能に取り付けるために用いられる。装着部１に純正品のインクカートリッジが装着されている場合、インクカートリッジ自体にはハンドルが設置されず、ハンドルブラケット１０に回転可能に取り付けられた回転ハンドル３で固定して、純正品のインクカートリッジのインク貯蔵量をできるだけ増大する。装着部１の本体は、さらにチップシンブルを配置するためのチップ接触領域１１を有する。図２を参照すると、ハンドルブラケット１０の下端とチップ接触領域１１は上下離間して設置され、ハンドルブラケット１０の下端には斜めに設置された第一係合面１００が形成されている。装着部１におけるインクカートリッジの取付位置から遠ざかる方向で、即ち図２のＸ軸の正方向に沿って、第一係合面１００は高い所から低い所へ傾斜して設置される。
【００２５】
図１を参照すると、装着部１の本体における回転ハンドル３の取付位置と対向する片側には係合孔１２が形成されている。ここで、装着部１の本体とは、装着部１における回転ハンドル３などの可動部材以外の部分を意味すると理解されるべきである。
【００２６】
図３に示された回転ハンドル３の斜視図を参照すると、回転ハンドル３は回転軸３１を有する。回転軸３１は、装着部１に回転可能に取り付けられて、ハンドルブラケット１０に対して回転することができる。回転ハンドル３には、さらに互いに平行する一対のガイドリブ３０が設置されている。一対のガイドリブ３０における対向する一対の平行平面は案内側面３００であり、案内側面３００はインクカートリッジ２の装着及び係合過程を案内するために用いられる。
【００２７】
図４〜図７を参照すると、インクカートリッジ２は、ケース２０と、ケース２０に設置されたハンドル２１と、を備える。ハンドル２１には、ハンドルブラケット１０の下端の下方へ伸び込むことができる前方係合突起２２が設置されている。前方係合突起２２は第二係合面２２０を有し、ハンドル２１における前方係合突起２２の突出方向に沿って、即ち図５のＸ軸の正方向に沿って、第二係合面２２０は高い所から低い所へ傾斜して、前方係合突起２２がハンドルブラケット１０の下端の下方へ伸び込む場合、第二係合面２２０と第一係合面１００は面接触又は線接触などの比較的安定的な位置決め関係を形成して、インクカートリッジ２を装着部1内に係合させる。好ましくは、第一係合面１００と第二係合面２２０は同じ傾斜度を有し、且つ第二係合面２２０の傾斜角度は第一係合面１００に基づいて設置し、即ち装着部１の構造に基づいてインクカートリッジ２の対応する嵌合構造を設置すると理解されるべきである。
【００２８】
図１〜図７に示されたように、ケース２０における装着部１の係合孔１２に対応する位置には、後方係合突起２３が設置されている。インクカートリッジ２が装着部１に取り付けられると、後方係合突起２３は係合孔１２に係合する。前方係合突起２２と後方係合突起２３は、好ましくは同じレベルの高さに設置され、即ち、第一係合面１００と第二係合面２２０が面接触するとき、両者が当接する力は水平方向の分力を有し、この分力と後方係合突起２３が係合孔１２に係合する方向はほぼ同じレベルの高さに位置する。従ってインクカートリッジ２と装着部１の相対位置がより安定し、インクカートリッジ２が装着部１に対して変位することを避ける。
【００２９】
装着部１において、ハンドルブラケット１０は離間して設置され、各回転ハンドル３は、隣接する２つのハンドルブラケット１０の間に回転可能に取り付けられる。図６を参照すると、インクカートリッジ２の幅方向、即ちＹ軸方向に沿って、ハンドル２１に２つの前方係合突起２２が離間して設置されることができる。Ｙ軸方向に沿って、２つの前方係合突起２２の内側面の間の距離はＷであると定義する。図３を参照すると、同じ方向に沿って、回転ハンドル３における２つの回転軸３１が設置されている側面３２の間の間隔はＤであると定義する。ＷとＤは次のような関係を満たし、Ｗ≧Ｄであり、従って２つの前方係合突起２２は２つの側面３２以外の位置で装着部１に係合し、ハンドル２１が装着部1の所定の係合位置に順調に係合するようにする。
【００３０】
実際応用を考慮すると、Ｙ軸方向に沿って、前方係合突起２２の幅は１．５ｍｍ以下であることが好ましい。回転ハンドル３とハンドルブラケット１０との間の隙間が比較的狭いので、前方係合突起２２の幅が１．５ｍｍを超えると、ハンドル２１が装着部１の所定の係合位置に滑り落ちることができなくなることを招く。
【００３１】
さらに、ハンドル２１とケース２０は着脱可能に接続されることが好ましく、且つハンドル２１とケース２０は異なる材料で作られる。ケース２０は、インク注入後の超音波溶接シールの要求を満たすために、ＰＰ材料又はＰＳ材料で作られる。ハンドル２１は、前方係合突起２２が何度も係合した後に摩耗されて失効することを避けるために、優れた硬度と靭性を有するＰＣ、ＡＢＳ、ナイロン、又はこれらの材料を含む改質材料で作られる。ＰＣ、ＡＢＳ、ナイロン、又はこれらの材料を含む改質材料の硬度と靭性は、ケース２０を形成するＰＰ材料又はＰＳ材料の硬度と靭性より良い。しかし、ハンドル２１は、ケース２０と異なり、超音波溶接を必要としないので、これらの材料の使用は、ハンドル２１の基本的な機能を満たすとともに、ハンドル２１の耐久性及び弾性を高めることができる。なお、ハンドル２１の形状は不規則であり、且つケース２０に着脱可能に接続され、インクカートリッジ２の輸送時に２つの部分を別々に輸送してハンドル２１の損傷を回避することができる。
【００３２】
ハンドル２１は、具体的には、弾性操作板２１０と、チップ取付板２１１と、インクカートリッジ取付板２１２と、を備え、３つの部分は互いに固定されるか又は一体に設置される。前方係合突起２２は弾性操作板２１０に設置されており、インクカートリッジ２を装着部１に装着できるように、弾性操作板２１０は一定の変形を生じさせる必要があり、従って前方係合突起２２が装着部１のハンドルブラケット１０の下端の下方へ伸び込むか、又は装着部１のハンドルブラケット１０の下端の下方から退出することができるようにする。弾性操作板２１０は、円弧状に延びているか、又はチップ取付板２１１と鈍角で接続されていることが好ましい。前方係合突起２２は、弾性操作板２１０の大きく変形できる位置に設置されることが好ましい。インクカートリッジ２を取り外す場合、弾性操作板２１０は駆動されて一定量の弾性変形が生じ、前方係合突起２２がハンドルブラケット１０の下端から退出するようにする。前方係合突起２２は弾性操作板２１０の大きく変形できる位置に設置されているので、弾性操作板２１０の弾性変形に伴って、前方係合突起２２を大きく変位させることができ、インクカートリッジ２を取り外すことに有利である。さらに、インクカートリッジ２のチップと装着部１のチップ接触領域１１のチップシンブルとの確実な接触を確保するために、前方係合突起２２はできるだけチップ取付板２１１に近接して設置される。
【００３３】
チップ取付板２１１におけるチップ接触領域１１に向かう表面は、インクカートリッジ２のチップ４を取り付けるために用いられる。チップ取付板２１１及びインクカートリッジ取付板２１２は別々にケース２０の異なる側面に当接係合し、且つケース２０とハンドル２１との間の垂直及び水平方向の動きをそれぞれ限定する。従って、ケース２０とハンドルが２１との間に信頼できる位置決め関係を有する。いくつかの実施形態において、図４に示されたように、チップ取付板２１１におけるケース２０に当接する表面は係合フック２１１０を有し、ケース２０の対応する位置には、係合フック２１１０を収容するためのフック穴２００が設けられている。
【００３４】
図４及び図５を参照すると、インクカートリッジ取付板２１２におけるケース２０に当接する表面には吊り穴２１２０が形成されており、ケース２０の対応する位置には吊り穴２１２０に挿入することができる吊り突起２０１が設置されている。ケース２０の幅方向、即ち図面のＹ軸方向に沿って、吊り突起２０１と吊り穴２１２０は、両方とも２つであり且つ離間して設置される。また、ケース２０及びインクカートリッジ取付板２１２の中の一方には、インクカートリッジの高さ方向（図示のＺ軸方向）に沿って延在される位置決めリブ２１２１が設置されており、他方には位置決めリブ２１２１を収容することができる位置決め溝２０２が形成されている。
【００３５】
上述した構成により、係合フック２１１０及びフック穴２００は、一緒にインクカートリッジの高さ方向におけるハンドル２１に対するケース２０の変位を限定し、その結果、ケース２０とハンドル２１との間にＺ軸方向に沿う位置決め関係が形成される。吊り突起２０１は吊り穴２１２０と協同し、位置決めリブ２１２１は位置決め溝２０２と協同して、インクカートリッジ取付板２１２とケース２０との間の相対変位を限定するので、ケース２０とハンドル２１との間にＸ軸及びＹ軸方向に沿う位置決め関係が形成される。
【００３６】
図３、図４及び図６を参照すると、ハンドル２１の弾性操作板２１０には、さらに案内部２４が設置されており、案内部２４は少なくとも１つの案内当接面２４０を有し、案内当接面２４０は回転ハンドル３の案内側面３００と互いに平行し且つ互いに協同する。従って、インクカートリッジ２を装着部１に取り付ける場合、案内部２４の案内当接面２４０は回転ハンドル３の案内側面３００に案内されて、インクカートリッジ２を装着部１に係合する過程を案内して、Ｙ軸方向におけるインクカートリッジ２の位置が限定される。
【００３７】
好ましくは、案内部２４は対向して設置され且つ互いに平行する２つの案内当接面２４０を備えることができる。 Ｙ軸方向に沿って、互いに平行する一対の案内当接面２４０の間の距離は、回転ハンドル３の２つの案内側面３００の間の距離よりわずかに小さいので、案内部２４は一対の案内側面３００の間でそれと協同して、インクカートリッジ２が装着部１に係合するとき、Ｙ軸方向におけるインクカートリッジ２の位置を限定する。
【００３８】
案内部２４と前方係合突起２２は一体に成形されることができ、両者は互いに独立していてもよい。
【００３９】
上述した実施形態の各技術特徴は自由に組み合わせることができ、説明を簡略化するために、上述した実施形態の各技術特徴の全ての可能な組み合わせは記載されていないが、矛盾が発生しない場合、これらの技術特徴の組み合わせは本明細書に記載された範囲内にあると見なすべきである。
【００４０】
以上は、本発明のいくつかの実施形態に過ぎず、その説明はより具体的且つ詳細であるが、本発明の範囲を限定するものと理解されるべきではない。留意されたいことは、当業者であれば、本発明の要旨を逸脱しない範囲内で変更、修正することができ、このような変更、修正は全て本発明の保護範囲に属する。本発明の範囲は特許請求の範囲によって決める。
【符号の説明】
【００４１】
１ 装着部
１０ ハンドルブラケット
１００ 第一係合面
１１ チップ接触領域
１２ 係合孔
２ インクカートリッジ
２０ ケース
２００ フック穴
２０１ 吊り突起
２０２ 位置決め溝
２１ ハンドル
２１０ 弾性操作板
２１１ チップ取付板
２１１０ 係合フック
２１２ インクカートリッジ取付板
２１２０ 吊り穴
２１２１ 位置決めリブ
２２ 前方係合突起
２２０ 第二係合面
２３ 後方係合突起
２４ 案内部
２４０ 案内当接面
３ 回転ハンドル
３０ ガイドリブ
３００ 案内側面
３１ 回転軸
３２ 側面
４ チップ
【図１】
2020082728.tif 000003
【図２】
2020082728.tif 000004
【図３】
2020082728.tif 000005
【図４】
2020082728.tif 000006
【図５】
2020082728.tif 000007
【図６】
2020082728.tif 000008
【図７】
2020082728.tif 000009